(57)【要約】【課題】ＡＳＥ光を利用したプリアンプのゲイン設定方法及び、これを適用するＷＤＭ光伝送装置を提供する。【解決手段】リングネットワーク、又はオープンリングネットワークのノードに置かれるＷＤＭ光伝送装置であって、多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを持つプリアンプと、アンプのゲインをＡＧＣモードより高く設定し、ＡＳＥ光の出力レベルを多重波長数ｎ相当になるように設定するＡＳＥモードと、ＡＧＣモードの２つの制御モードを持つポストアンプとを有し、前記ＡＳＥモードにおいて、前記ポストアンプのＡＳＥ光を出力させ、該ＡＳＥ光を利用して次ノードのＷＤＭ光伝送装置におけるプリアンプのゲインがＡＬＣ制御で設定される。【選択図】図１０
2004023437.tif 000002
【特許請求の範囲】
【請求項１】
リングネットワーク、又はオープンリングネットワークのノードに置かれるＷＤＭ光伝送装置であって、
多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを持つプリアンプと、
アンプのゲインをＡＧＣモードより高く設定し、ＡＳＥ光の出力レベルを多重波長数ｎ相当になるように設定するＡＳＥモードと、ＡＧＣモードの２つの制御モードを持つポストアンプとを有し、
前記ＡＳＥモードにおいて、前記ポストアンプのＡＳＥ光を出力させ、該ＡＳＥ光を利用して次ノードのＷＤＭ光伝送装置におけるプリアンプのゲインがＡＬＣ制御で設定されることを特徴とするＷＤＭ光伝送装置。
【請求項２】
請求項１において、
さらに、前記ポストアンプから出力される波長多重信号に光監視信号を多重する第１のカプラと、
Ｃバンド波長多重信号とＬバンドを多重する第２のカプラと、
前ノードから入力するＣバンドＷＤＭ信号とＬバンド波長多重信号を分離する第１のスプリッタと、
前ノードから入力する前記ＯＳＣ信号を分離する第２のスプリッタを有し、
前段のノードのポストアンプから出力されるＡＳＥ光出力レベルから、前記プリアンプで前記第１のスプリッタと第２のスプリッタが遮断する波長帯域の光レベルをあらかじめ差し引いた光レベルが、ｎ波相当になるように前記ＡＳＥ光出力レベルを調整し、
前記プリアンプでは前ノードのポストアンプから波長数ｎの波長多重信号を受信し、前記該波長多重信号のＡＳＥ光を利用して、前記プリアンプのゲイン設定を行なうことを特徴とするＷＤＭ光伝送装置。
【請求項３】
請求項１において、
さらに、前記ポストアンプに入力する波長多重信号を遮断するシャッターを有し、
前記ポストアンプがＡＳＥモードに遷移する時に、前記シャッターを閉じ、前記波長多重信号が前記ポストアンプに入力しないようにし、前記ポストアンプがＡＧＣモードに遷移後に、前記シャッターを開け、前記波長多重信号を前記ポストアンプに入力させることにより、前記ポストアンプから光サージの出力を防止することを特徴とするＷＤＭ光伝送装置。
【請求項４】
リングネットワーク、又はオープンリングネットワークのノードに置かれ、プリアンプとポストアンプを有するＷＤＭ光伝送装置のプリアンプのゲイン設定方法であって、
前記プリアンプに対し、多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを設定し、
前記ポストアンプのゲインをＡＧＣモードより高く設定し、ＡＳＥ光の出力レベルを多重波長数ｎ相当になるように設定するＡＳＥモードと、ＡＧＣモードの２つの制御モードを設定し、
前記ＡＳＥモードにおいて、前記ポストアンプのＡＳＥ光を出力させ、該ＡＳＥ光を利用して次ノードのＷＤＭ光伝送装置における前記プリアンプのゲインをＡＬＣ制御で設定することを特徴とするＷＤＭ光伝送装置のプリアンプのゲイン設定方法。
【請求項５】
請求項４において、
前記ポストアンプの入力側に波長多重信号の入力を遮断するシャッターを設け、
前記ＡＳＥ光を利用して次ノードの前記プリアンプのゲイン設定を行なう時に、前記シャッターを閉じ波長多重信号が前記ポストアンプに入力しないようにして、前記ポストアンプからは常に一定レベルのＡＳＥ光のみを出力し、前記プリアンプでは常に一定レベルのＡＳＥ出力光のみでゲイン設定を行なうことを特徴とするＷＤＭ光伝送装置のプリアンプのゲイン設定方法。
【発明の詳細な説明】
【０００１】
【発明の属する技術分野】
本発明は、波長分割多重　（ＷＤＭ）光伝送システムに適用されるＷＤＭ伝送装置に関する。特に、本発明は、ＷＤＭ光伝送装置における、ＡＳＥ（Ａｍｐｌｉｆｉｅｄ　Ｓｐｏｎｔａｎｅｏｕｓ　Ｅｍｉｓｓｉｏｎ）光を利用したプリアンプのゲイン設定に関するものである。
【０００２】
【従来の技術】
ＷＤＭ技術を用いた光伝送システムが実用化されている。かかる光伝送システムにおいて使用されるＷＤＭ光伝送装置に対し、近年ますます光伝送技術が進歩している中、光波長単位で光信号の挿入／分岐（ＡＤＤ／ＤＲＯＰ）する機能及び光パスプロテクション（ｐａｔｈ　ｐｒｏｔｅｃｔｉｏｎ）スイッチ機能をサポートする、光ＡＤＭ装置を用いたＷＤＭリングネットワークの実用化が要求されている。
【０００３】
図１は、ネットワークの各ノードに置かれるＷＤＭ伝送装置の構成例示す図である。破線で囲われた部分は、光信号の挿入／分岐（ＡＤＤ／ＤＲＯＰ）する機能及び光パスプロテクション（ｐａｔｈ　ｐｒｏｔｅｃｔｉｏｎ）スイッチ機能を有する光ＡＤＭ装置１００である。
【０００４】
この光ＡＤＭ装置１００の入力側及び出力側において、双方向で波長分割多重（ＷＤＭ）信号を入力し、プリアンプ１０１、１１５を通して光ＡＤＭ装置１００内の波長多重分離装置１０２、１１４に入力する。波長多重分離装置１０２、１１４で、各波長の光信号に分離する。
【０００５】
波長分離された光信号は光スイッチユニット１０３に入力し、設定されている方路に切り替え出力される。さらに、ノードにおいて、図１では示されていないトランスポンダから光信号が挿入（ＡＤＤ）され、分岐（ＤＲＯＰ）される。
【０００６】
ここで、光スイッチユニット１０３の機能を概念的に図２に示す。図２において、スイッチユニット１０３は各波長λに対して２×２スイッチを搭載している。２×２スイッチはスルー設定（図２Ａ）とアッド／ドロップ設定（図２Ｂ）の２つの状態を有している。
【０００７】
図２Ａにおけるスルー設定時にはプリアンプ１０１，１１５からの出力を２×２スイッチ１０３−１を通して、ポストアンプ１０５，１１１の入力側に接続する。
【０００８】
また、図２Ｂにおけるアッド／ドロップ設定時には、図示しないトランスポンダからの現用Ｗ側の信号をＡＤＤ端子１２５から入力し、２×１スイッチ１０３−２及び２×２スイッチ１０３−１を通してポストアンプ１０５，１１１の入力側に接続する。さらに、プリアンプ１０１，１１５からの該当ノードにおいて、分岐する際は、２×２スイッチ１０３−１を通し、カプラ１０３−３により現用及び、予備側に接続して分岐する。
【０００９】
光スイッチ１０３から出力される波長分離された光信号お呼び、２×１スイッチ１０３−２を通して挿入された光信号は、可変光減衰器（ＶＯＡ）１０６、１１６を通してレベル調整され波長多重装置１０４，１１２に入力する。ここで、再び波長多重されたＷＤＭ信号としてポストアンプ１０５，１１１に入力する。
【００１０】
かかる図１、図２に示す従来のＷＤＭ伝送装置では、ポストアンプ１０５，１１１は常時ＡＧＣモードで運用し、プリアンプ１０１、１１５はＡＬＣモードでゲイン設定を行った後、ＡＧＣモードで運用していた。
【００１１】
ここで、上記ＡＧＣモード及びＡＬＣモードの意味を説明する。
【００１２】
ＡＧＣ（Ａｕｔｏｍａｔｉｃ　Ｇａｉｎ　Ｃｏｎｔｒｏｌ）モードは、光アンプであるポストアンプ１０５，１１１への光入力レベルと光出力レベルの比（ゲイン）を一定に保つ制御モードである。
【００１３】
ＡＧＣモードでは、光アンプの入力レベルが変動した場合、光アンプのゲインが一定のため、光アンプの出力レベルも入力レベルに追随して変動する。光アンプに入力される光信号の多重波長数が変化した場合、ゲインは一定のため、各波長の入力レベルが変化しなければ、各波長の出力レベルも変化しない。このため、新たな波長を追加・削除しても既存の波長を用いたサービスに影響はない。
【００１４】
一方、ＡＬＣ（Ａｕｔｏｍａｔｉｃ　Ｌｅｖｅｌ　Ｃｏｎｔｒｏｌ）モードは、多重波長数ｎの一波あたりの目標出力レベルをＰｎとした場合に、光アンプであるプリアンプ１０１，１１５への光入力レベルによらず、光アンプのトータル出力Ｐｏが一定（＝Ｐｎ×ｎ）になるように光アンプのゲインを制御するモードである。したがって、光アンプはトータル出力Ｐｏを求めるために、多重波長数ｎの情報が必要である。
【００１５】
すなわち、ＡＬＣモードでは光アンプの入力レベルが変動しても、光アンプのトータル出力レベルが一定になるように光アンプを制御する。
【００１６】
このために、光アンプに入力される光信号において、波長多重された波長の一つが断になった場合、ＡＬＣ制御によりトータル出力レベルを一定にするように制御される。これにより断になった波長以外の波長成分に対し、より強く増幅することになる。
【００１７】
この結果、断になった際の光レベルより遅れて、多重波長数ｎ情報が更新されるため、それまでの間は１波あたりの目標出力レベルから外れ、データエラーを生じる恐れがある。
【００１８】
また、光アンプに入力される光信号に新たに一波が追加になった場合も、ＡＬＣ制御によりトータル出力レベルを一定にしようとし、多重波長数ｎが更新されるまでは、追加された以外の波長の光アンプ出力レベルが低下することになる。
【００１９】
このように、ＡＬＣモードでは、光アンプに入力する波長数が増減した場合に各波長の出力レベルが変化し、この波長光を受信するＯ／Ｓ（光／信号）変換モジュールの入力許容レベル範囲からはずれた場合に信号がエラーを生じることになる。
【００２０】
したがって、一旦ＡＬＣモードでゲイン設定を完了した後は、ＡＧＣモードに遷移し、波長数増減が発生しても目標出力レベルを一定に保つようにしている。
【００２１】
かかる従来の装置でのプリアンプゲイン設定シーケンスを図３に示す。さらに、図４に示すように、光伝送路１２２を介して接続されるノード１とノード２との関係において説明する。
【００２２】
図１においては示されていない制御ユニットにより初期設定として波長数がノード１のポストアンプ１０５に通知される（処理工程Ｐ１）。ついで、後に説明するように次ノード２のプリアンプ２０１でのゲイン設定のために波長数が必要なために、ＯＳＣ（光監視）信号により波長数が次ノード２のプリアンプ２０１まで、順次に通知される（処理工程Ｐ１−１，Ｐ１−２、Ｐ１−３）。
【００２３】
ポストアンプ１０５は、立ち上げ状態で入力レベルが閾値以上になると常にＡＧＣモードで動作し（処理工程Ｐ２）、可変光減衰制御部１０７の制御により可変光減衰器（ＶＯＡ）１０６が調整され、出力レベルが安定する。出力レベルが安定すると、出力安定情報を生成する（処理工程Ｐ３）。この出力安定情報は、ノード１の後に説明されるＯＳＣユニットに送られる（処理工程Ｐ２−１）。そこで、図４に示すように、出力安定情報をＯＳＣ信号に載せ、光伝送路１２２を通して次ノード２のＯＳＣユニットに送る（処理工程Ｐ２−２）。
【００２４】
ここで、ポストアンプ１０５の出力レベルが安定になる為には、スルー光（図２Ａ参照）に対しては波長数変動がなく安定していること、挿入（ＡＤＤ）光に対しては波長数変動がなくトランスポンダからの出力光が安定していることが必要である。
【００２５】
したがって、ポストアンプ１０５は、出力レベルを監視し、ポストアンプ出力レベル安定ビットを出力安定情報としてＯＳＣ信号により次ノード２のプリアンプ２０１に送信する。ノード２では、ＯＳＣ信号からかかる出力安定情報を求め、ノード２のプリアンプ２０１に送る（処理工程Ｐ３−３）。ノード２のプリアンプ２０１では、前ノード１のポストアンプ１０４からの波長情報により波長数が１以上であり、且つ出力安定情報を受信した場合、ＡＬＣモードでゲイン設定を行う（処理工程Ｐ４）。ゲイン設定が終了すると、プリアンプ２０１は、ＡＧＣモードに遷移する（処理工程Ｐ５）。
【００２６】
このように、従来のＷＤＭ伝送装置では、ポストアンプ１０５、１１１は常時ＡＧＣモードであり、プリアンプ１０１，１１５は１波相当レベル以上の光入力がなければＡＬＣモードによりゲイン設定をすることができなかった。
【００２７】
したがって、システムとしては１波以上の光レベルが存在するスパン（ノード間隔）ではプリアンプ１０１、１１５のゲイン設定をすることが可能である。
【００２８】
しかし、障害が生じて現用回線を予備回線に切り替えるとき、あるいは、ネットワークの再構築等の場合、０波のスパンとなり、また光レベルが１波より小さくなり、波長数変動や前ノードのプリアンプがゲイン設定中によってポストアンプ入力レベルが変動してしまったりする。かかる場合には、ゲイン設定することができなかった。かかる点においては、従来システムでは完全なスパン独立の立ち上げとは呼べなかった。
【００２９】
このように従来のＷＤＭ伝送装置では、障害から復旧し立ち上げようとする場合、あるいはネットワーク構築されたシステムを新規に立ち上げようとする場合等では、スパンのポストアンプ１０５に入力される光レベルが１波以上存在し、かつ出力が安定しているという条件を満たす場合においてのみ次ノードのプリアンプ２０１のゲイン設定が可能であった。
【００３０】
すなわち、プリアンプにおいては、ポストアンプ出力レベル安定ビットが安定を示さなければゲイン設定を行なわないようにしていた。つまり、ポストアンプに入力される光レベルが安定しないと次ノードのプリアンプのゲイン設定が開始できなかった。
【００３１】
同様に、複数のノードをリング上に繋ぐリングネットワークにおいて、全ノードのプリアンプのゲイン設定を一斉に行なおうとする場合、各スパンのゲイン設定は前ノードからのスルー光がある場合には、前スパンのゲイン設定完了後でないとスパン設定ができない。このために結果的に波長λが挿入（アッド）されるノードから順番にゲイン設定が完了していく。図５にリングネットワークの一例を示す。
【００３２】
図５において、ノード１〜６は、リング状に接続が構成されている。ノード１から波長λ１を挿入（アッド）し、ノード２からノード５まではスルー、ノード６で分岐（ドロップ）する場合、プリアンプ１〜６のゲイン設定を一斉に開始しようとすると、ノード２のプリアンプ２０１はノード１のポストアンプ１０５からの出力安定ビットを待ち、ノード２のポストアンプ２０５はプリアンプ２０１からの光出力レベルが１波レベルに満たないか、安定していないために出力安定ビットを送出できない。
【００３３】
以下同様に、ノード３〜ノード６において、プリアンプ３０２〜６０２、ポストアンプ３０５〜６０５は、前ノードのポストアンプの出力安定が条件となる。
【００３４】
また、プリアンプ１０２〜６０２のゲイン設定トリガは、プリアンプがシェルフに実装され、インサービス設定がされた後、プリアンプが自動的に前ノードのポストアンプからの出力安定ビットを監視し、安定であればゲイン設定を行なっていた。つまり、前ノードのポストアンプは、次段のプリアンプがいつゲイン設定を行なっているかを認識する構成ではなかった。
【００３５】
【発明が解決しようとする課題】
上記をまとめると、従来装置においては、プリアンプがＡＬＣモードでゲイン設定を行なう際、プリアンプの入力レベルと出力レベルをモニタし、その差をゲインとして求める。しかし、プリアンプへの入力レベルが１波より小さいレベルではゲイン設定ができないため、０波スパンではプリアンプのゲイン設定ができないという問題が存在していた。
【００３６】
０波スパンでプリアンプのゲイン設定ができないと、図６に示すようにＯＳＰＰＲ（Ｏｐｔｉｃａｌ　Ｓｈａｒｅｄ　Ｐａｔｈ　Ｐｒｏｔｅｃｔｉｏｎ　ＲＩＮＧ）サービスチャンネル（例えば、図６Ａにおいて、ノードＮ１〜Ｎ５の回線）をプロテクションパス（図６Ａにおいて、ノードＮ１、Ｎ８，Ｎ７，Ｎ６、Ｎ５の回線）に切り替えたときに、そのパスのアンプのゲイン設定を開始するためプロテクション切り替え時間（５０ｍＳｅｃ以内）の要求を満足できないという問題があった。
【００３７】
かかる問題を解決するため、ＲＩＮＧ内に１波以上のＯＵＰＳＲ（Ｏｐｔｉｃａｌ　Ｕｎｉｄｉｒｅｃｔｉｏｎａｌ　Ｐａｔｈ　Ｓｗｉｔｃｈｅｄ　ＲＩＮＧ）を持たせたり、図６Ｂに示すＯＳＰＰＲ（Ｏｐｔｉｃａｌ　Ｓｈａｒｅｄ　Ｐａｔｈ）のアッド光をブリッジさせ、プロテクションパスにも光を通したりすることにより、ＲＩＮＧ内の各スパンに常に１波以上の光が存在するよう構成する提案があるが、顧客にシステム運用上の制約を設けなくてはならないという問題が残る。
【００３８】
また、ポストアンプユニット内に光源を設け、０波スパンでのプリアンプのゲイン設定時にはこの光源を使用することが考えられる。しかし、ユニット上の実装面積の増加及び、光源及び切り替えスイッチのコストアップになるという問題が残る。
【００３９】
かかる点から本願発明者は、検討により、従来の光伝送システムにおいて好ましくなく、減衰するような対策がとられてきたＡＳＥ光を積極的にアンプのゲイン設定に利用できることが可能であることを見出した。
【００４０】
したがって、本発明の目的はかかるＡＳＥ光を利用したＷＤＭ光伝送装置における、ＡＳＥ光を利用したプリアンプのゲイン設定方法及び、これを適用するＷＤＭ光伝送装置を提供することにある。
【００４１】
【課題を解決するための手段】
上記の本発明の課題を達成するＷＤＭ光伝送装置の第１の態様は、リングネットワーク、又はオープンリングネットワークのノードに置かれるＷＤＭ光伝送装置であって、多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを持つプリアンプと、アンプのゲインをＡＧＣモードより高く設定し、ＡＳＥ光の出力レベルを多重波長数ｎ相当になるように設定するＡＳＥモードと、ＡＧＣモードの２つの制御モードを持つポストアンプとを有し、前記ＡＳＥモードにおいて、前記ポストアンプのＡＳＥ光を出力させ、該ＡＳＥ光を利用して次ノードのＷＤＭ光伝送装置におけるプリアンプのゲインがＡＬＣ制御で設定されることを特徴とする。
【００４２】
上記の本発明の課題を達成するＷＤＭ光伝送装置の第２の態様は、第１の態様において、さらに、前記ポストアンプから出力される波長多重信号に光監視信号を多重する第１のカプラと、Ｃバンド波長多重信号とＬバンドを多重する第２のカプラと、前ノードから入力するＣバンドＷＤＭ信号とＬバンド波長多重信号を分離する第１のスプリッタと、前ノードから入力する前記ＯＳＣ信号を分離する第２のスプリッタを有し、前段のノードのポストアンプから出力されるＡＳＥ光出力レベルから、前記プリアンプで前記第１のスプリッタと第２のスプリッタが遮断する波長帯域の光レベルをあらかじめ差し引いた光レベルが、ｎ波相当になるように前記ＡＳＥ光出力レベルを調整し、前記プリアンプでは前ノードのポストアンプから波長数ｎの波長多重信号を受信し、前記該波長多重信号のＡＳＥ光を利用して、前記プリアンプのゲイン設定を行なうことを特徴とする。
【００４３】
かかる構成により、スパン間に波長λが１波もないいわゆる０波スパンにおいても、１波以上のスパンにおいても、次ノードのプリアンプのゲイン設定を行なうことができる。また、プリアンプのゲイン設定が完了しているため、リング内のワークパスから、このスパンを通るプロテクションパスに切り替えが発生しても、直ちにアクティブパスのサービスを開始することができるＷＤＭ装置の提供が可能である。また、０波スパンにおいても、新たにプリアンプゲイン設定用の光源をもつことなく、現状のポストアンプを使用して次ノードのプリアンプのゲイン設定を行なうことができ、更にＡＳＥ光を利用したアンプゲイン設定の際、ＡＳＥ光のレベル帯域がＣ／Ｌスプリッタと、ＯＳＣスプリッタでカットされることによるゲイン設定誤差を無くすことができる。
【００４４】
さらに、本発明に従うＷＤＭ装置の第３の態様は、前記ポストアンプに入力する波長多重信号を遮断するシャッターを有し、前記ポストアンプがＡＳＥモードに遷移する時に、前記シャッターを閉じ、前記波長多重信号が前記ポストアンプに入力しないようにし、前記ポストアンプがＡＧＣモードに遷移後に、前記シャッターを開け、前記波長多重信号を前記ポストアンプに入力させることにより、前記ポストアンプから光サージの出力を防止することを特徴とする。
【００４５】
かかる構成では、ＷＤＭシャッターの配置により、ＡＳＥモードにおいて、ポストアンプからの光サージを防止し、ポストアンプの光レベルモニタ部や次ノードプリアンプ内の入力光モニタ部等の光デバイス破損を防止することができる。
【００４６】
上記の本発明の課題を達成するＷＤＭ光伝送装置のプリアンプのゲイン設定方法の第１の態様は、リングネットワーク、又はオープンリングネットワークのノードに置かれ、プリアンプとポストアンプを有するＷＤＭ光伝送装置のプリアンプのゲイン設定方法であって、前記プリアンプに対し、多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを設定し、前記ポストアンプのゲインをＡＧＣモードより高く設定し、ＡＳＥ光の出力レベルを多重波長数ｎ相当になるように設定するＡＳＥモードと、ＡＧＣモードの２つの制御モードを設定し、前記ＡＳＥモードにおいて、前記ポストアンプのＡＳＥ光を出力させ、該ＡＳＥ光を利用して次ノードのＷＤＭ光伝送装置における前記プリアンプのゲインをＡＬＣ制御で設定することを特徴とする。
【００４７】
かかる構成により、プリアンプでは、常に一定レベルのポストアンプＡＳＥ出力光のみでゲイン設定を行なうため、ポストアンプから、波長数やポストアンプ出力レベル情報を次ノードのプリアンプに通知しなくてもよい。この結果、アンプ立ち上げに関するインタフェースやシーケンスがシンプルになり、立ち上げ時間の短縮やコストダウンに効果がある。
【００４８】
本発明の課題を達成するＷＤＭ光伝送装置のプリアンプのゲイン設定方法の第２の態様は、第１の態様の方法において、前記ポストアンプの入力側に波長多重信号の入力を遮断するシャッターを設け、前記ＡＳＥ光を利用して次ノードの前記プリアンプのゲイン設定を行なう時に、前記シャッターを閉じ波長多重信号が前記ポストアンプに入力しないようにして、前記ポストアンプからは常に一定レベルのＡＳＥ光のみを出力し、前記プリアンプでは常に一定レベルのＡＳＥ出力光のみでゲイン設定を行なうことを特徴とする。
【００４９】
かかるシャッターを設ける構成により、サービスネットワーク内で立ち上げようとするスパン以外のスパンに影響を与えることなく、またサービスネットワーク内のサービスチャンネルを断させることなく、立ち上げスパン単独でプリアンプのゲイン設定を行ない、サービスの品質を高めることができる。
【００５０】
本発明の課題を達成するＷＤＭ光伝送装置のプリアンプのゲイン設定方法の第３の態様は、第２の態様の方法において、前記リングネットワーク、又はオープンリングネットワーク内のノードにおけるスルー光とアッド光を前記シャッターで遮断させ、前記シャッターに遮断状態時に、下流ノードにチャンネルアラーム情報を送出し、該当のスパンのみにおいて、前記ポストアンプのＡＳＥ光で、次ノードのプリアンプのゲイン設定を行なうことを特徴とする。
【００５１】
さらに、本発明の課題を達成するＷＤＭ光伝送装置のプリアンプのゲイン設定方法の第４の態様は、第２または、第３の態様の方法において、前記プリアンプのゲイン設定が必要な場合には、光監視信号（ＯＳＣ）を前ノードのポストアンプ部に対してＡＳＥ光出力要求を送信し、前記ポストアンプ部がＡＳＥ　光出力要求を受信後、前記ポストアンプ部はＷＤＭシャッターを閉じ、ＡＳＥモードに遷移し、ついで、前記ポストアンプ部は、ＡＳＥ光出力が安定した時点で前記プリアンプのゲイン設定が必要な次ノードのプリアンプ部に対してＡＳＥ光出力安定情報を通知し、前記プリアンプにＡＬＣモードにより、ゲイン設定を開始する許可を与え、前記プリアンプは前ノードの前記ポストアンプ部のポストアンプからＡＳＥ光出力安定情報を受信した後、前記ＡＳＥ光を利用してＡＬＣモードでゲイン設定を行ない、その後、ＡＧＣモードに遷移し、前ノードのポストアンプ部に対してＡＳＥ光出力要求の送信を中止し、前ノードのポストアンプ部では、ＡＳＥ光出力要求を受信しなくなった時点で、ポストアンプがＡＧＣモードに遷移し、前記ＷＤＭシャッターを開け、前記次ノードのプリアンプ部に対してＡＳＥ光出力安定情報の通知を中止することを特徴とする。
【００５２】
この構成によれば、プリアンプは、ポストアンプのＡＳＥ光を利用し、自動的にプリアンプのゲイン設定を完了させことができるため、オペレータの手を煩わせることなく、常にサービスインできる状態にさせることができる。例えば、電源断からの復旧や、プリアンプユニットの交換を行なった場合でも、自動的にサービスを開始できるという効果がある。
【００５３】
また、本発明の課題を達成するＷＤＭ光伝送装置のプリアンプのゲイン設定方法の第５の態様は、第１の態様の方法において、前記プリアンプのゲイン設定を、前記プリアンプ部が搭載されたユニットを交換した場合に行なうことを特徴とする。
【００５４】
したがって、プリアンプユニットを交換後、そのスパンが０波であっても、１波以上のスパンであっても自動的にプリアンプのゲイン設定を完了させることができ、オペレータはただユニットを交換するだけで、自動的にプリアンプ交換前のサービスを復旧できるという効果がある。
【００５５】
本発明の課題を達成するＷＤＭ光伝送装置のプリアンプのゲイン設定方法の第６の態様は、第１の態様の方法において、スパン間のＡＰＳＤ（Ａｕｔｏｍａｔｉｃ　ＰｏｗｅｒＳｈｕｔ　Ｄｏｗｎ）復旧後、前記スパンにあるプリアンプ部が前記ＡＰＳＤ復旧を検出し、前ノードのポストアンプにＡＳＥ要求を送信し、前記プリアンプのゲインの再設定を行なうことを特徴とする。
【００５６】
かかる構成により、あるスパン間のＡＰＳＤ復旧後、そのスパンが０波であっても、１波以上のスパンであっても自動的にプリアンプのゲイン設定を完了することができる。ＡＰＳＤの発生要因の例として、ファイバー断や、ポストアンプユニットの交換があげられるが、ファイバー断の復旧や、ポストアンプの交換後、自動的にＡＰＳＤ発生前のサービスを復旧できるという効果がある。
【００５７】
さらに、本発明の課題を達成するＷＤＭ光伝送装置のプリアンプのゲイン設定方法の第７の態様は、第１の態様の方法において、一のノードが電源断から復旧した時、前記ノードのプリアンプが、前ノードのポストアンプにＡＳＥ要求を送信し、前記プリアンプのゲインの再設定を行なうことを特徴とする。
【００５８】
この構成によれば、あるノードの電源断復旧後、その前後のスパンが０波であっても、１波以上のスパンであっても、前後のスパンは自動的にプリアンプのゲイン設定を完了させることができ、オペレータは何もしなくても自動的に電源断発生前のサービスを復旧できるという効果がある。
【００５９】
また、本発明の課題を達成するＷＤＭ光伝送装置のプリアンプのゲイン設定方法の第８の態様は、第１の態様の方法において、前記ポストアンプをＡＳＥモードに設定し、ＡＳＥ光を送出させ、次ノードのプリアンプでＡＬＣモードでゲイン設定を行ない、多重波長が１波以上のスパンでは、前記ポストアンプをＡＧＣモードに設定し、前記ポストアンプの出力光を利用して、次ノードのプリアンプをＡＬＣモードでゲイン設定を行なうことを特徴とする。
【００６０】
かかる第８の態様によれば、１波以上のスパンにおいては、従来のポストアンプＡＧＣモード、プリアンプＡＬＣモードにてプリアンプのゲイン設定を行なうことができ、０波スパンにおいても、新たにプリアンプゲイン設定用の光源をもつことなく、現状のポストアンプを使用して次ノードのプリアンプのゲイン設定を行なうことができる。この結果、コストアップなしで、装置の機能アップができ、リング内のワークパスから、このスパンを通るプロテクションパスに切り替えが発生しても、直ちにアクティブパスのサービスを開始することができる。
【００６１】
本発明の課題を達成するＷＤＭ光伝送装置のプリアンプのゲイン設定方法の第９の態様は、第２の態様の方法において、前記ポストアンプへの入力波長数に関わらず、前記ポストアンプ部のＷＤＭシャッターを閉じ、前期ポストアンプをＡＳＥモードに設定し、ＡＳＥ光を出力させ、次ノードのポストアンプをＡＬＣモードに設定し、前記ＡＳＥ光で前記プリアンプのゲイン設定を行なうことを特徴とする。
【００６２】
かかる第９の態様によれば、０波スパンにおいても１波以上のスパンにおいても、ＷＤＭシャッターの追加のみで、現状のポストアンプを使用して、単一の立ち上げ方法で、次ノードのプリアンプのゲイン設定を行なうことができる。また、ＷＤＭシャッターでポストアンプへの入力を遮断することで、入力レベル変動による立ち上げシーケンスの繰り返しを防ぐ。この結果、アンプ立ち上げに関するインタフェースやシーケンスがシンプルになり、立ち上げ時間の短縮に効果がある。
【００６３】
また、本発明の課題を達成するＷＤＭ光伝送装置のプリアンプのゲイン設定方法の第１０の態様は、第１の態様の方法において、前記リングネットワーク若しくはオープンリングネットワーク全体の電源断からの復旧時に全ノードの立ち上げを行なう場合、各ノードのプリアンプが、前ノードのポストアンプにＡＳＥ要求を送信し、前記各ノードのポストアンプ部ではＷＤＭシャッターを閉じ、全スパンを独立にさせ、各スパンが並列にプリアンプのゲイン設定を行なうことを特徴とする。
【００６４】
この第１０の態様の方法によれば、各スパンは、ＷＤＭシャッターにて分断され、それぞれ独立にプリアンプのゲイン設定を完了するため、リングネットワーク等で全ノード一斉立ち上げを行なう際に、従来のノード毎にアンプ立ち上げを行なう方法に比べ、格段に立ち上げ時間を短縮することができる。
【００６５】
【発明の実施の形態】
以下に本発明の実施の形態例を図面に従い説明する。図７は、ＡＳＥ光を利用した本発明を適用するＷＤＭ伝送装置の本発明に従う機能を、図４と同様にノード１とノード２の関係において説明する図である。
【００６６】
図７において、ノード１側とノード２側は、光伝送路１２２により接続されている。ノード１側において、波長多重装置１０４より前の構成は図示省略されている。同様に、ノード２側において、波長分離装置２０２より後の構成は図示省略されている。
【００６７】
ノード１側において、ポストアンプユニット１０は、ポストアンプ１０５とそれを制御するポストアンプ制御ユニット１１を有する。ノード２側において、プリアンプユニット２０は、プリアンプ２０１とそれを制御するプリアンプ制御ユニット２１を有する。
【００６８】
波長多重化装置１０４で波長多重されたＷＤＭ光信号は、光伝送路損失を補償するための波長分散補償ファイバＤＣＦを通してポストアンプ１０５にＷＤＭ信号を入力する。ポストアンプ１０５は、ＡＧＣモードとＡＳＥモードの２つのモードを持つ。
【００６９】
ここで、本発明において、ＡＳＥ（Ａｍｐｌｉｆｉｅｄ　Ｓｐｏｎｔａｎｅｏｕｓ　Ｅｍｉｓｓｉｏｎ）モードとは、アンプのゲインをＡＧＣモードより高めに設定し、ＡＳＥ光の出力レベルをｎ波相当になるように設定することである。
【００７０】
波長多重装置１０４よりのＷＤＭ信号が０波の際、次ノードのプリアンプからのＡＳＥ出力要求により、ポストアンプ制御ユニット１１において、ポストアンプ１０５をＡＳＥモードに設定する。このときレベル制御部１１ＢでＡＧＣモードより高めに設定されるｎ波に対応するＡＳＥ光レベルを演算する。
【００７１】
一方、受光素子１２によりポストアンプ１０５の出力光が電気信号に変換され、ポストアンプ制御ユニット１１の光出力モニタ部１１Ａに入力される。
【００７２】
光出力モニタ部１１Ａでは、ポストアンプ１０５から出力されるＡＳＥ光のレベルを検出し、レベル制御部１１Ｂにおいて演算されたｎ波に対応するＡＳＥ光レベルとを比較する。その比較結果の差分値をポストアンプ制御部１１Ｃにフィードバックする。
【００７３】
ポストアンプ制御部１１Ｃは、前記の検出されたＡＳＥ光のレベルと所定値との比較による差分が零となるように、ポストアンプ１０５のゲインをポストアンプインタフェース部１１Ｄにより制御する。
【００７４】
かかる構成により、ポストアンプ１０５への入力光のレベルが０波長分以下であってもｎ波相当レベルのＡＳＥ光を出力することができる。
【００７５】
かかるｎ波の情報は、レベル制御部１１ＢからＯＳＣユニット１５に送られ、そこでＯＳＣ信号に載せられる。ＯＳＣユニット１５からのＯＳＣ信号は、ＯＳＣカプラ１３において、ポストアンプ１０５のＡＳＥ光と結合され、ノード２側に送られる。
【００７６】
なお、ポストアンプユニット１０に示されるＣ／Ｌカプラ１４は、ＣバンドとＬバンドを結合するカプラであり、図７において、ＯＳＣカプラ１３の出力がＣバンドのＷＤＭ信号である場合、図示しないＬバンド対応のポストアンプユニットからのＬバンドのＷＤＭ信号を結合する。
【００７７】
一方、プリアンプユニット２０において、ポストアンプユニット１０のＯＳＣカプラ１３及びＣ／Ｌカプラ１４に対応する、ＯＳＣスプリッタ２４及びＣ／Ｌスプリッタ２５を有している。
【００７８】
はじめにプリアンプ２０１は、ＡＬＣモードに設定される。この際、ＯＳＣスプリッタ２４により、ノード１側で挿入されたＯＳＣ信号を分離し、ＯＳＣユニット２６に送られる。ＯＳＣユニット２６において、ＯＳＣ信号からポストアンプ１０５に設定されたＡＳＥモードでのｎ波情報が抽出される。この抽出されたｎ波情報は、プリアンプ制御部２１Ｅに送られる。
【００７９】
プリアンプ制御部２１Ｅでは、前記のｎ波情報から、（１波あたりの目標到達レベル）×ｎ似対応するＡＳＥ光の到達レベルを演算する。
【００８０】
ＡＬＣモードにおいて、プリアンプ２０１の出力は、受光素子２３で電気信号に変換され、光出力モニタ部２１Ｂで検知される。さらに、レベル制御部２１Ｄで受信したＡＳＥ光の到達レベルが検出される。
【００８１】
ついで、レベル制御部２１Ｄで検出されたＡＳＥ光の到達レベルが、先にプリアンプ制御部２１Ｅで演算された（１波あたりの目標到達レベル）×ｎ波相当のＡＳＥ光の到達レベルと比較される。その比較結果の差分値が零となるように、プリアンプインタフェース部２１Ｆを通してプリアンプ２０１のゲインを設定する。
【００８２】
これにより、障害復旧時、あるいはシステム立ち上げ時において、ポストアンプ１０５に入力するＷＤＭ信号が０波となる場合であっても、本発明によりプリアンプ２０１のゲイン設定することが可能である。
【００８３】
これにより、スパン間に波長が１波もない、いわゆる０波スパンにおいても、新たにプリアンプゲイン設定用に光源を持つことも必要でなく、次ノードのプリアンプのゲイン設定を行うことが可能である。
【００８４】
ここで、図７に示すプリアンプユニット２０において、プリアンプ２０１の入力側に置かれるＯＳＣスプリッタ２４及び、Ｃ／Ｌスプリッタ２５を通過する際にノード１側から送られたＡＳＥ光の一部帯域が削除される。図８は、これを説明する図である。図８Ａは、ｎ波存在するＷＤＭ信号と、ＡＳＥ光のレベルを示している。
【００８５】
ＡＳＥ光の、ｎ波帯域以外の領域ａ、ｂ（図８Ｂ参照）が上記のＯＳＣスプリッタ２４及び、Ｃ／Ｌスプリッタ２５を通過する際に削除される。これにより、到達されるＡＳＥ光のレベルが減衰し、先に説明したＯＳＣ信号によりノード１から送られるｎ波情報との関係が保てなくなる。
【００８６】
そこで、本発明の適用における実施の形態例として、レベル制御部１１Ｂにおけるｎ波に対応するＡＳＥ光レベルの演算の際、ＯＳＣスプリッタ２４及び、Ｃ／Ｌスプリッタ２５を通過する際に削除される波長帯域の光レベルを差し引いた値を波長数ｎに対応する目標の到達レベルとしてＯＳＣ信号に搭載して次ノード２に送る。これにより、ＯＳＣスプリッタ２４及び、Ｃ／Ｌスプリッタ２５をＡＳＥ光が通過する際の波長帯域削除に起因する問題を解消することができる。
【００８７】
さらに、プリアンプユニット２０において、プリアンプ２０１をＡＧＣモードに設定したときは、受光素子２２によりプリアンプ２０１の入力側の光レベルを電気信号に変換し、光モニタ部２１Ａにより光レベルを検知し、レベル制御部２１Ｃに入力する。同様に、受光素子２３によりプリアンプ２０１の出力側の光レベルを電気信号に変換し、光モニタ部２１Ｂにより光レベルを検知し、レベル制御部２１Ｄに入力する。
【００８８】
プリアンプ制御部２１Ｅは、レベル制御部２１Ｃ、２１Ｄの両者で把握される光レベルの差分光レベルと、プリアンプ制御部２１Ｅが保持している目標光レベルの差が零となるように、プリアンプ２０１のゲインが制御される。
【００８９】
これによりＡＧＣモードでは、入力側と出力側のゲイン比が一定に保たれる。
【００９０】
ここで、上記のようにポストアンプ１０５をＡＳＥモードに設定し、ゲインを高くした状態では、ポストアンプ１０５への入力が急激に変化すると、その出力レベルも変動し、光サージが発生する可能性がある。
【００９１】
かかる場合、ポストアンプ１０５の出力レベルモニタ用の受光素子２もしくは、次ノードのプリアンプ２０１の入力側にある受光素子２２を破損させてしまう恐れがある。
【００９２】
かかる不都合を解消する本発明に従う実施の形態例が図９に示される。図９の実施の形態例では、図７に示す実施の形態例において、更にポストアンプ１０５の入力側にＷＤＭ信号を阻止するＷＤＭシャッター１６が設けられている点に特徴を有する。
【００９３】
このＷＤＭシャッター１６に対し、ポストアンプ制御部１１Ｃから、ポストアンプ１０５をＡＳＥモードの設定をする前に、シャッター制御部１１Ｅに対し、ＷＤＭシャッター１６を閉じる要求を出す。
【００９４】
また、ポストアンプ制御部１１Ｃが、ポストアンプ１０５をＡＧＣモードに設定した後に、ＷＤＭシャッター制御部１１Ｅに、ＷＤＭ　シャッターを開ける要求を出す。
【００９５】
したがって、ポストアンプ１０５がＡＳＥモード中は常にＷＤＭシャッター１６が閉じているため、ポストアンプ１０５からの光サージを防止することができる。
【００９６】
ここで、図９の実施の形態例動作を更に説明すると、ポストアンプ制御部１１が、ポストアンプ１０５をＡＳＥモードに設定する前に、ＷＤＭシャッター制御部１１ＥにＷＤＭ　シャッター１６を閉じる要求を出す。
【００９７】
その後、ポストアンプ制御部１１はポストアンプ１０５をＡＳＥモードに設定し、レベル制御部１１ＢにＡＳＥ光レベル設定要求を出す。レベル制御部１１Ｂでは、光出力モニタ部１１Ａから受信するポストアンプ１０５のＡＳＥ光出力レベルが目標レベルになるようにレベル調整を行なう。
【００９８】
さらに、このポストアンプ１０５のＡＳＥ光出力レベルから、先に図７の実施の形態例に関連して説明したように、次ノード２のプリアンプユニット２０におけるＯＳＣスプリッタ２４、Ｃ／Ｌスプリッタ２５でカットされる光レベルを差し引いた光レベルは、変形例として、システム設定時に、次ノード２のプリアンプユニット２０内に、前ノード１のポストアンプ１０５から送出されるＡＳＥ光レベルとしてあらかじめ設定しておく。
【００９９】
これにより、ノード１のポストアンプユニット１０から、波長数ｎやポストアンプ１０５出力レベル情報を次ノード２のプリアンプユニットに通知することは必要でない。
【０１００】
さらに、図９の構成におけるＷＤＭシャッター１６の開閉の制御により運用ネットワーク内で、プリアンプ２０１のゲイン設定を可能とする手順例を説明する。
【０１０１】
図８に示すＷＤＭ伝送装置において、波長毎に波長をアッド／ドロップすることができる図２に示す２×２スイッチを搭載したスイッチユニットを実装したＷＤＭ伝送装置が、図５に示すようにリングネットワーク又はオープンリングネットワーク構成をとる場合を考える。
【０１０２】
かかるリングネットワーク、又はオープンリングネットワーク内の１スパンのプリアンプゲイン設定を行ないたい場合、該当のスパンのポストアンプユニット２０内のＷＤＭシャッター制御部１１Ｅが最初にＯＳＣユニット１５に対してＷＤＭシャッター閉情報を通知する。
【０１０３】
ＯＳＣユニット１５では、次ノード方向に送出するＷＣＦ（Ｗａｖｅｌｅｎｇｔｈ　Ｃｈａｎｎｅｌ　Ｆａｉｌｕｒｅ）を全ての運用中（ＩＳ：Ｉｎ　Ｓｅｒｖｉｃｅ）波長λに対してアラーム設定する。これにより、このスパンを通る波長λを図示省略されている予備側（プロテクション）パスに切り替える。次に、ＷＤＭシャッター制御部１１Ｅは、ＷＤＭシャッター１６を閉じ、図７に関連して説明した立ち上げ方法等でプリアンプ２０１を立ち上げる。
【０１０４】
その後、ＷＤＭシャッター制御部１１Ｅは、ＷＤＭシャッター１６を開け、ＯＳＣユニット１５に対してＷＤＭシャッター開情報を通知する。ＯＳＣユニット１５は、次ノード２方向に送出するＷＣＦをノーマル設定に戻す。
【０１０５】
以上の方法により、運用ネットワーク内でも、他のスパンや、サービスチャンネルに影響を与えることなく、スパン独立に、ポストアンプ１０５のＡＳＥ光で、次ノードのプリアンプ２０１のゲイン設定を行なうことができる。
【０１０６】
図１０は、上記の実施の形態例における運用手順を示すシーケンスフロー図である。
【０１０７】
図９に示すＷＤＭ伝送装置において、ノード２のプリアンプ２０１のゲイン設定が必要な場合には、プリアンプ制御ユニット２１のプリアンプ制御部２１ＥからＯＳＣユニット２６を経由し、前ノード１のポストアンプユニット１０のポストアンプ制御部１１Ｃに対してＡＳＥ光出力要求を送信する（処理工程Ｐ１０−１〜Ｐ１０−３）。
【０１０８】
ノード１のポストアンプ制御部１１ＣがＡＳＥ光出力要求を受信すると、シャッター制御部１１Ｅを介してＷＤＭシャッター１６を閉じる（処理工程Ｐ１１）。同時にポストアンプ１０５に対し、ＡＳＥモード設定を行う（処理工程Ｐ１２）。これによりポストアンプ１０５は、ＡＧＣモード（ステップＳ１）からＡＳＥモード（ステップＳ２）に遷移する。
【０１０９】
ポストアンプ制御部１１は、受光素子１２、光も似た部１１Ａ，レベル制御部１１Ｂを通して、ＡＳＥ光出力のレベルをモニタする（処理工程Ｐ１３）。ＡＳＥ光出力のレベルに応じて、ポストアンプ１０５のゲインを制御して出力レベル調整を行う（処理工程Ｐ１４）。
【０１１０】
ＡＳＥ光出力のレベルが安定した時点で（ステップＳ３）、次ノード２のプリアンプ制御部２１Ｅに対してＡＳＥ光出力安定情報を通知し、プリアンプ２０１をゲイン設定開始の許可を与える（処理工程Ｐ１５−１〜Ｐ１５−５）。
【０１１１】
プリアンプ２０１は、ノード１のポストアンプ１０５からＡＳＥ光出力安定情報を受信すると、ノード１からのＡＳＥ光を利用してＡＬＣモードでゲイン設定を行なう（ステップＳ４）。
【０１１２】
ＡＬＣモードでゲイン設定が行なわれると、ＡＧＣモードに遷移し（ステップＳ５）、ノード１のポストアンプ制御部１１に対してＡＳＥ光出力要求の送信を中止する（処理工程Ｐ１６−１〜Ｐ１６−４）。
【０１１３】
ノード１のポストアンプ制御部１１では、ＡＳＥ光出力要求を受信しなくなった時点で、ポストアンプ１０５をＡＧＣモードに設定制御する（処理工程Ｐ１７）。これにより、ポストアンプ１０５は、ＡＧＣモードに遷移する（ステップＳ６）。
【０１１４】
ポストアンプ１０５は、ＡＧＣモードに遷移すると、ポストアンプ制御部１１は、ＷＤＭシャッター１６を開ける制御を行なう（処理工程Ｐ１）。これにより、プリアンプ制御部２１Ｅに対するＡＳＥ光出力安定情報の通知を停止する（処理工程Ｐ１８−１〜Ｐ１８−４）。
【０１１５】
上記のシーケンスにより、プリアンプ２０１及び、ポストアンプ１０５はＡＳＥ光を利用し、自動的にプリアンプ２０１のゲイン設定を完了させことができる。
【０１１６】
したがって、上記の図１０に示すシーケンスの利用により、プリアンプユニット２０を交換した場合に、プリアンプ２０１のゲイン設定を自動的に行なうことが可能である。これにより、プリアンプユニット２０を交換後、該当のスパンが０波であっても、１波以上のスパンであっても自動的にプリアンプ２０１のゲイン設定を完了することができる。
【０１１７】
さらに、上記の図１０に示すシーケンスの利用により、スパン間のＡＰＳＤ（Ａｕｔｏｍａｔｉｃ　Ｐｏｗｅｒ　Ｓｈｕｔ　Ｄｏｗｎ）復旧後、該当スパンにあるプリアンプユニット２０がＡＰＳＤ復旧を検出し、前ノード１のポストアンプ制御部１１ＣにＡＳＥ光出力要求を送信してゲイン再設定を自動的に行なうことが可能である。
【０１１８】
これにより、あるスパン間のＡＰＳＤ復旧後、そのスパンが０波であっても、１波以上のスパンであっても自動的にプリアンプ２０１のゲイン設定が完了する。
【０１１９】
また、あるノード２が電源断から復旧した時、そのノードのプリアンプ２０１が、前ノード１のポストアンプ制御部１１ＥにＡＳＥ光送出要求を送信することにより、同様の手順でプリアンプ２０１のゲイン設定を完了させることが可能である。
【０１２０】
さらに、図７又は、図９の構成において、レベル制御部１１Ｂにおいて、波長数毎のレベルと比較することにより、ポストアンプ１０５に入力される波長数を監視することが可能である。
【０１２１】
波長数の監視により、波長数が０であるときには、先に説明したようにＡＳＥモードでのプリアンプ２０１のゲイン設定を行なう。波長数が１以上であるときには、従来のＡＧＣモードにおいて出力されるポストアンプ１０５の出力光を利用してプリアンプ２０１のゲイン設定を行なう。
【０１２２】
これにより、スパン間に波長λが１波もない、いわゆる０波スパンにおいても、新たにプリアンプゲイン設定用の光源を持つことなく、現状のポストアンプ１０５を使用して次ノードのプリアンプ２０１のゲイン設定を行なうことができる。
【０１２３】
また、１波以上のスパンにおいては、従来のポストアンプＡＧＣモード、プリアンプＡＬＣモードによりプリアンプ２０１のゲイン設定を行なうことができる。
【０１２４】
さらに、上記した図９、図１０の実施の形態例において、ポストアンプ１０５への入力波長数に関わらず、０波でも１波以上のスパンでも、ポストアンプ制御部１１によりＷＤＭシャッター１６を閉じ、ポストアンプ１０５をＡＳＥモードに設定し、ＡＳＥ光を出力させる。
【０１２５】
次にノード２のプリアンプ２０１をＡＬＣモードに設定し、ＡＳＥ光でプリアンプ２０１のゲイン設定を行なうことが可能である。これにより、０波スパンにおいても１波以上のスパンにおいても、ＷＤＭシャッター１６の追加のみで、現状のポストアンプ１０５を使用して、単一の立ち上げ方法で、次ノード２のプリアンプ２０１のゲイン設定を行なうことができる。
【０１２６】
ここで、上記の実施の形態例の特徴を有する、図１１に示すＷＤＭ装置ユニットの全体構成と信号の流れの実施例を説明する。図１２は、図１１の実施例の動作シーケンスである。
【０１２７】
図１１では、ＥＡＳＴ方向からＷＥＳＴ方向と、ＷＥＳＴ方向からＥＡＳＴ方向に向かう双方向の信号についてユニット構成を示している。
【０１２８】
図１１において、ＤＣＦは、分散補償ファイバー（Ｄｉｓｐｅｒｓｉｏｎ　Ｃｏｍｐｅｎｓａｔｉｏｎ　Ｆｉｂｅｒ）であり、光伝送路の正分散の累積を補償する高負荷分散ファイバーである。このＤＣＦは、プリアンプ、ポストアンプの入力部に必要に応じて挿入される。
【０１２９】
ポストアンプユニット１０内のＶＡＴは、可変減衰器（Ｖａｒｉａｂｌｅ　Ａｔｔｅｎｕａｔｏｒ）であり、各波長ラムダに対し、光レベルを調整するためのものである。
【０１３０】
図１１に示す例では、ＯＳＣユニット１５は現用Ｗと予備用Ｐが用意されている。さらに、太破線で示されるルートにより、挿入／分岐（ＡＤＤ／ＤＲＯＰ）装置ａにより信号がＥＡＳＴ方向に挿入され、また挿入／分岐（ＡＤＤ／ＤＲＯＰ）装置ｃにより、ＥＡＳＴ方向からの信号が分岐されるように、スイッチユニット１０３が設定された状態を示している。
【０１３１】
図１２において、ＤＳＰは、スイッチユニット１０３内に搭載されるＤＳＰ（Ｄｉｇｉｔａｌ　Ｓｉｇｎａｌ　Ｐｒｏｃｅｓｓｏｒ）であり、ポストアンプユニット１０内のＶＡＴの制御を行なう。ノード１において、ＦＰＧＡは、ポストアンプ制御ユニット１１であり、従ってポストアンプのレベル制御部１１Ｂ及びポストアンプ制御部１１Ｃを含む。
【０１３２】
ＯＳＣ−２は、次ノードであるノード２のＯＳＣユニット２６（ＯＳＣ−１と表す）と対向するＯＳＣユニット１５であり、ノード間の制御情報（例えば、ＡＳＥ光要求、ＯＳＣ通常監視（ＮＯＲＭＯＰ）は、ＯＳＣパスを使用して伝達する。
【０１３３】
ノード２におけるＦＰＧＡは、プリオアンプユニット２０のレベル制御部２１Ｂ，プリアンプ制御部２１Ｅを含むプリアンプ制御ユニット２１が対応する。
【０１３４】
図１２において、前ノードとなるノード１において、ポストアンプユニット２０の制御ユニット２１から初期設定情報（挿入：Ａｄｄ，　分岐：Ｄｒｏｐ，スルー）をスイッチユニット１０３の図示しないＤＳＰと、ＯＳＣ−２に送信する（処理工程Ｐ２０）。
【０１３５】
ＤＳＰは、各波長のサービス情報を基に、ＶＡＴを調整して、各波長毎野減推量が調整される（処理工程Ｐ２１）。受光素子（ＰＤ）１２からスイッチユニット１０３のＤＳＰにモニタレベル情報を送信する（処理工程Ｐ２２）。ＤＳＰは、各波長ごとに１波あたりの必要レベルに達していないチャネルについてＬＯＬ（Ｌｏｓｓ　Ｏｆ　Ｌｉｇｈｔ）情報をＯＳＣ−２に送信する（処理工程Ｐ２３）。
【０１３６】
ＯＳＣ−２ではＬＯＬの波長数分だけ，ＯＳＣ−１に送信する波長数を減算する。これらの計算は、常時ＯＳＣ−２で行なわれる。
【０１３７】
次ノードであるノード２では、ＦＰＧＡからプリアンプユニット２０に対して、初期設定情報を送信し、その中で波長数情報を常時１波（ＮＭＢＲ＝１）として設定している（処理工程Ｐ２４）。
【０１３８】
プリアンプユニット２０は、ＦＰＧＡに対し、アンプモードを受信した応答を送信し、ＦＰＧＡは、プリアンプ２０１が、ダウン状態でなければ（ＡＭＰ＿００Ｍ＝０）、ＯＳＣ−１，ＯＳＣ−２を経由して、前ノードであるノード１のポストアンプ１０５にＡＳＥ光出力要求（ＡＳＥＲＥＱ＝１）を送信する（処理工程Ｐ１６−１〜Ｐ２６−３）。
【０１３９】
これを受信したＦＰＧＡは、ポストアンプユニット１０に対し、シャットダウンを設定する（処理工程Ｐ２７）。その後、ＷＤＭシャッター１６を閉（Ｂｌｏｃｋ）状態に設定する（処理工程Ｐ２８）。ＦＰＧＡは、１０ｍｓ間待機した後、ＷＤＭシャッター１６の位置確認を行い、正しく閉状態であれば、ポストアンプ１０５をＡＳＥモードに設定する（処理工程Ｐ２９）。
【０１４０】
ポストアンプ１０５は、ＦＰＧＡにＡＳＥモードに遷移したことを通知し、ＦＰＧＡは、ポストアンプユニット１０のシャットダウンを解除する（処理工程Ｐ３０）。ポストアンプ１０５は、ＡＳＥ光を出力し、出力が安定した時点で、ＦＰＧＡにＡＳＥ光出力安定情報（ＮＯＲＭＯＰ＝１）を送信する（処理工程Ｐ３１）。
【０１４１】
ＦＰＧＡは、ＯＳＣ−２，ＯＳＣ−１を経由して次ノード２のＦＰＧＡにＮＯＲＭＯＰ情報を通知し（処理工程Ｐ３１−１〜Ｐ３１−３）、プリアンプユニット２０のシャットダウンを解除する（処理工程Ｐ３２）。
【０１４２】
プリアンプ２０１は、ＡＬＣモードでゲイン設定を行ない（処理工程Ｐ３３）、設定が完了したらＡＧＣモードに遷移する（処理工程Ｐ３４）。プリアンプユニット２０は、ＡＧＣモードに遷移したことをＦＰＧＡに通知し（処理工程Ｐ３５）、前ノードであるノード１のＦＰＧＡに対して、ＡＳＥ光出力要求ビットの送信を中止する（ＡＳＥＲＥＱ＝０）（処理工程Ｐ３６−１〜Ｐ３６−３）。
【０１４３】
ついで、ＦＰＧＡは、ポストアンプユニット１０をシャットダウンし（処理工程Ｐ３７）、ＡＧＣモードに設定し、ＡＧＣ／ＡＳＥ＝１により、ポストアンプ１０がＡＧＣモード煮遷移したことを確認する（処理工程Ｐ３８）。
【０１４４】
これを確認して、１０ｍｓ経過後にＷＤＭシャッター１６を開に設定し（処理工程Ｐ３９）、スイッチ位置が正しく開（スルー）になっていたら、ポストアンプ１０のシャットダウンを解除する（処理工程Ｐ４０）。
【０１４５】
この時点でポストアンプ１０からＡＧＣ光が出力され、次ノードのプリアンプ２０１ではＡＧＣモードで光出力が得られる。これにより、ポストアンプ１０のＡＳＥ光を利用して次ノードのプリアンプの立ち上げが完了する。
【０１４６】
（付記１）　リングネットワーク、又はオープンリングネットワークのノードに置かれるＷＤＭ光伝送装置であって、
多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを持つプリアンプと、
アンプのゲインをＡＧＣモードより高く設定し、ＡＳＥ光の出力レベルを多重波長数ｎ相当になるように設定するＡＳＥモードと、ＡＧＣモードの２つの制御モードを持つポストアンプとを有し、
前記ＡＳＥモードにおいて、前記ポストアンプのＡＳＥ光を出力させ、該ＡＳＥ光を利用して次ノードのＷＤＭ光伝送装置におけるプリアンプのゲインがＡＬＣ制御で設定されることを特徴とするＷＤＭ光伝送装置。
【０１４７】
（付記２）付記１１において、
さらに、前記ポストアンプから出力される波長多重信号に光監視信号を多重する第１のカプラと、
Ｃバンド波長多重信号とＬバンドを多重する第２のカプラと、
前ノードから入力するＣバンドＷＤＭ信号とＬバンド波長多重信号を分離する第１のスプリッタと、
前ノードから入力する前記ＯＳＣ信号を分離する第２のスプリッタを有し、
前段のノードのポストアンプから出力されるＡＳＥ光出力レベルから、前記プリアンプで前記第１のスプリッタと第２のスプリッタが遮断する波長帯域の光レベルをあらかじめ差し引いた光レベルが、ｎ波相当になるように前記ＡＳＥ光出力レベルを調整し、
前記プリアンプでは前ノードのポストアンプから波長数ｎの波長多重信号を受信し、前記該波長多重信号のＡＳＥ光を利用して、前記プリアンプのゲイン設定を行なうことを特徴とするＷＤＭ光伝送装置。
【０１４８】
（付記３）付記１において、
さらに、前記ポストアンプに入力する波長多重信号を遮断するシャッターを有し、
前記ポストアンプがＡＳＥモードに遷移する時に、前記シャッターを閉じ、前記波長多重信号が前記ポストアンプに入力しないようにし、前記ポストアンプがＡＧＣモードに遷移後に、前記シャッターを開け、前記波長多重信号を前記ポストアンプに入力させることにより、前記ポストアンプから光サージの出力を防止することを特徴とするＷＤＭ光伝送装置。
【０１４９】
（付記４）リングネットワーク、又はオープンリングネットワークのノードに置かれ、プリアンプとポストアンプを有するＷＤＭ光伝送装置のプリアンプのゲイン設定方法であって、
前記プリアンプに対し、多重波長数ｎに対し、光アンプのトータル出力が一定になるように光アンプのゲインを制御するＡＬＣモードと、光入力レベルと光出力レベルの比を一定に保つ制御モードであるＡＧＣモードの２つの制御モードを設定し、
前記ポストアンプのゲインをＡＧＣモードより高く設定し、ＡＳＥ光の出力レベルを多重波長数ｎ相当になるように設定するＡＳＥモードと、ＡＧＣモードの２つの制御モードを設定し、
前記ＡＳＥモードにおいて、前記ポストアンプのＡＳＥ光を出力させ、該ＡＳＥ光を利用して次ノードのＷＤＭ光伝送装置における前記プリアンプのゲインをＡＬＣ制御で設定することを特徴とするＷＤＭ光伝送装置のプリアンプのゲイン設定方法。
【０１５０】
（付記５）付記４において、
前記ポストアンプの入力側に波長多重信号の入力を遮断するシャッターを設け、
前記ＡＳＥ光を利用して次ノードの前記プリアンプのゲイン設定を行なう時に、前記シャッターを閉じ波長多重信号が前記ポストアンプに入力しないようにして、前記ポストアンプからは常に一定レベルのＡＳＥ光のみを出力し、前記プリアンプでは常に一定レベルのＡＳＥ出力光のみでゲイン設定を行なうことを特徴とするＷＤＭ光伝送装置のプリアンプのゲイン設定方法。
【０１５１】
（付記６）付記５において、
前記リングネットワーク、又はオープンリングネットワーク内のノードにおけるスルー光とアッド光を前記シャッターで遮断させ、
前記シャッターに遮断状態時に、下流ノードにチャンネルアラーム情報を送出し、
該当のスパンのみにおいて、前記ポストアンプのＡＳＥ光で、次ノードのプリアンプのゲイン設定を行なうことを特徴とするＷＤＭ光伝送装置のプリアンプのゲイン設定方法。
【０１５２】
（付記７）付記５又は６において、
前記プリアンプのゲイン設定が必要な場合には、光監視信号（ＯＳＣ）を前ノードのポストアンプ部に対してＡＳＥ光出力要求を送信し、
前記ポストアンプ部がＡＳＥ　光出力要求を受信後、前記ポストアンプ部はＷＤＭシャッターを閉じ、ＡＳＥモードに遷移し、
ついで、前記ポストアンプ部は、ＡＳＥ光出力が安定した時点で前記プリアンプのゲイン設定が必要な次ノードのプリアンプ部に対してＡＳＥ光出力安定情報を通知し、前記プリアンプにＡＬＣモードにより、ゲイン設定を開始する許可を与え、
前記プリアンプは前ノードの前記ポストアンプ部のポストアンプからＡＳＥ光出力安定情報を受信した後、前記ＡＳＥ光を利用してＡＬＣモードでゲイン設定を行ない、その後、ＡＧＣモードに遷移し、前ノードのポストアンプ部に対してＡＳＥ光出力要求の送信を中止し、
前ノードのポストアンプ部では、ＡＳＥ光出力要求を受信しなくなった時点で、ポストアンプがＡＧＣモードに遷移し、前記ＷＤＭシャッターを開け、前記次ノードのプリアンプ部に対してＡＳＥ光出力安定情報の通知を中止することを特徴とするＷＤＭ光伝送装置のプリアンプのゲイン設定方法。
【０１５３】
（付記８）付記４において、
前記プリアンプのゲイン設定を、前記プリアンプ部が搭載されたユニットを交換した場合に行なうことを特徴とするＷＤＭ光伝送装置のプリアンプのゲイン設定方法。
【０１５４】
（付記９）付記４において、
スパン間のＡＰＳＤ（Ａｕｔｏｍａｔｉｃ　Ｐｏｗｅｒ　Ｓｈｕｔ　Ｄｏｗｎ）復旧後、前記スパンにあるプリアンプ部が前記ＡＰＳＤ復旧を検出し、前ノードのポストアンプにＡＳＥ要求を送信し、
前記プリアンプのゲインの再設定を行なうことを特徴とするＷＤＭ光伝送装置のプリアンプのゲイン設定方法。
【０１５５】
（付記１０）付記４において、
一のノードが電源断から復旧した時、前記ノードのプリアンプが、前ノードのポストアンプにＡＳＥ要求を送信し、
前記プリアンプのゲインの再設定を行なうことを特徴とするＷＤＭ光伝送装置のプリアンプのゲイン設定方法。
【０１５６】
（付記１１）付記４において
前記ポストアンプをＡＳＥモードに設定し、ＡＳＥ光を送出させ、次ノードのプリアンプでＡＬＣモードでゲイン設定を行ない、
多重波長が１波以上のスパンでは、前記ポストアンプをＡＧＣモードに設定し、前記ポストアンプの出力光を利用して、次ノードのプリアンプをＡＬＣモードでゲイン設定を行なうことを特徴とするＷＤＭ光伝送装置のプリアンプのゲイン設定方法。
【０１５７】
（付記１２）付記５において
前記ポストアンプへの入力波長数に関わらず、前記ポストアンプ部のＷＤＭシャッターを閉じ、前期ポストアンプをＡＳＥモードに設定し、ＡＳＥ光を出力させ、次ノードのポストアンプをＡＬＣモードに設定し、
前記ＡＳＥ光で前記プリアンプのゲイン設定を行なうことを特徴とするＷＤＭ光伝送装置のプリアンプのゲイン設定方法。
【０１５８】
（付記１３）付記４において、
前記リングネットワーク若しくはオープンリングネットワーク全体の電源断からの復旧時に全ノードの立ち上げを行なう場合、
各ノードのプリアンプが、前ノードのポストアンプにＡＳＥ要求を送信し、前記各ノードのポストアンプ部ではＷＤＭシャッターを閉じ、全スパンを独立に
させ、
各スパンが並列にプリアンプのゲイン設定を行なうことを特徴とするＷＤＭ光伝送装置のプリアンプのゲイン設定方法。
【０１５９】
【発明の効果】
以上図面に従い、実施の形態例を説明したように、本発明により、スパン間に波長λが１波もないいわゆる０波スパンにおいても、１波以上のスパンにおいても、次ノードのプリアンプのゲイン設定を行なうことができる。また、プリアンプのゲイン設定が完了しているため、リング内のワークパスから、このスパンを通るプロテクションパスに切り替えが発生しても、直ちにアクティブパスのサービスを開始することができるＷＤＭ装置の提供が可能である。
【図面の簡単な説明】
【図１】ネットワークの各ノードに置かれるＷＤＭ伝送装置の構成例示す図である。
【図２】光スイッチユニット１０３の機能を概念的に示す図である。
【図３】従来の装置でのプリアンプゲイン設定シーケンスを示す図である。
【図４】光伝送路１２２を介して接続されるノード１とノード２との関係を示す図である。
【図５】リングネットワークの一例を示す図である。
【図６】ＯＵＰＳＲと、ＯＳＰＰＲを説明する図である。
【図７】ＡＳＥ光を利用した本発明を適用するＷＤＭ伝送装置の本発明に従う機能を説明する図である。
【図８】ＯＳＣスプリッタ２４及び、Ｃ／Ｌスプリッタ２５を通過する際に削除、到達されるＡＳＥ光のレベルが減衰することを背罪する図である。
【図９】ＡＳＥモードにおいて、光サージにより受光素子等が破損する不都合を解消する本発明に従う実施の形態例を示す図である。
【図１０】実施の形態例における運用手順を示すシーケンスフロー図である。
【図１１】ＷＤＭ装置ユニットの全体構成と信号の流れの実施例を説明する図である。
【図１２】図１１の実施例の動作シーケンスである。
【符号の説明】
１０　ポストアンプユニット
１１　ポストアンプ制御ユニット
２１Ａ　光入力モニタ部
１１Ａ、２１Ｂ　光出力モニタ部
１１Ｂ、２１Ｃ，２１Ｄ　レベル制御部
１１Ｃ　ポストアンプ制御部
１１Ｄ　ポストアンプインタフェース部
１０５　ポストアンプ
１２，２３，２４　受光素子
１３、２４　　ＯＳＣカプラ／スプリッタ
１４、２５　　Ｃ／Ｌカプラ／スプリッタ
１５，２６　　ＯＳＣユニット
２０　　プリアンプユニット
２１　プリアンプ制御ユニット
２１Ｅ　プリアンプ制御部
２１Ｆ　プリアンプインタフェース部
２０１　プリアンプ
【図１】
2004023437.tif 000003
【図２】
2004023437.tif 000004
【図３】
2004023437.tif 000005
【図４】
2004023437.tif 000006
【図５】
2004023437.tif 000007
【図６】
2004023437.tif 000008
【図７】
2004023437.tif 000009
【図８】
2004023437.tif 000010
【図９】
2004023437.tif 000011
【図１０】
2004023437.tif 000012
【図１１】
2004023437.tif 000013
【図１２】
2004023437.tif 000014